(57)【要約】【目的】  把手を取り付けるための特殊な加工を扉に施す必要がなく、把手の回転を防止して安定かつ確実に、把手を扉に取り付け固定することができる、新しい把手取り付け構造を提供する。【構成】  握り部(21)、本体部(22)および係合部(23)を連設して断面略L字型の把手(2)を形成し、該把手(2)の本体部(22)を扉(1)表面(11)に当接固着するとともに、係合部(23)を扉(1)側端面部(12)に係合してなる構造とする。【選択図】図１
2005097911.tif 000002
【特許請求の範囲】
【請求項１】
握り部、本体部および係合部を連設して断面略L字型の把手を形成し、該把手の本体部を扉表面に当接固着するとともに、係合部を扉側端面部に係合してなることを特徴とする把手取り付け構造。
【請求項２】
把手が、ハンドル把手であることを特徴とする請求項１記載の把手取り付け構造。
【発明の詳細な説明】
【技術分野】
【０００１】
この出願の発明は、把手取り付け構造に関するものである。さらに詳しくは、この出願の発明は、把手を取り付けるための特殊な加工を扉に施す必要がなく、把手の回転を防止して安定かつ確実に、把手を扉に取り付け固定することができる、新しい把手取り付け構造に関するものである。
【背景技術】
【０００２】
クローゼット等の扉における把手の取り付け構造は、従来よりいくつか提案されている。たとえば、図５に例示したような把手の左右両側端部を扉の框に固定する把手の取り付け構造が知られている（たとえば、特許文献１参照）。この提案では、把手(ア)の一側端部に設けられた嵌合片(イ)を、一方の扉の縦の框(キ)に予め設けられた溝部(オ)に嵌め込み、次いで、把手(ア)の他側端部に設けられたネジ等を螺入するための固定穴(エ)と他方の縦の框(キ)に設けられた固定穴(カ)とを挿通して、ネジ等で把手を扉の框(キ)に取り付けている。
【０００３】
また、図６に例示したように、把手本体に雄ネジが設けられた把手を用いた扉への把手の取り付け構造も提案されている（特許文献２、参照）。この把手(ク)は、把手(ク)の本体(ケ)の取り付け部に雄ネジ(コ)が一体に設けられているため、矢印に示したように把手(ク)を扉(サ)にねじ込むだけで簡便に取り付けることができる。
【特許文献１】実開平4-24971号公報
【特許文献２】特開平6-280426号公報
【発明の開示】
【発明が解決しようとする課題】
【０００４】
しかしながら、上記特許文献１提案の把手の取り付け構造の場合には、把手(ア)を取り付けるために扉に溝加工等の特殊な加工を施す必要がある。すなわち、把手(ア)の嵌合片(イ)を嵌め込むための溝部(オ)は、この嵌合片(イ)と対応する特殊な形状であることが必要であるため、特殊な加工を施す必要があり、また、このような溝部(オ)を設けるには、扉等の厚みが少ない部材では、溝部(オ)を設ける施工の際に破損する可能性があるため、把手(ア)の取り付けには、框(キ)のような厚みのある部材に制約されるという問題があった。
【０００５】
また、特許文献２記載の把手(ク)を用いた扉(サ)への把手(ク)の取り付け構造の場合には、扉(サ)への固定が、把手(ク)と一体に設けられた雄ネジ(コ)を扉(サ)に螺入するだけであるため、安定に固定されておらず、また使用しているうちに回転して緩んでしまい、把手(ク)が外れやすくなるという問題があった。
【０００６】
そこで、この出願の発明は、以上のとおりの事情に鑑みてなされたものであって、従来の問題点を解消し、把手を取り付けるための特殊な加工を扉に施す必要がなく、把手の回転を防止して安定かつ確実に、把手を扉に取り付け固定することができる、新しい把手取り付け構造を提供することを課題としている。
【課題を解決するための手段】
【０００７】
この出願の発明は、上記の課題を解決するものとして、第１には、握り部、本体部および係合部を連設して断面略L字型の把手を形成し、該把手の本体部を扉表面に当接固着するとともに、係合部を扉側端面部に係合してなることを特徴とする把手取り付け構造を提供する。
【０００８】
またこの出願の発明は、第２には、把手が、ハンドル把手であることを特徴とする前記の把手取り付け構造を提供する。
【発明の効果】
【０００９】
上記のとおりのこの出願の第１の発明に係わる把手取り付け構造によれば、把手を扉に取り付けるための特殊な加工を扉に施す必要がなく、把手の回転を防止して安定かつ確実に、把手を扉に取り付け固定することができることとなる。
【００１０】
また、第２の発明によれば、安定・確実に取り付けることが困難であったハンドル把手の場合においても、上記第１の発明と同様の効果を得ることが可能となる。
【発明を実施するための最良の形態】
【００１１】
この出願の発明は上記のとおりの特徴をもつものであるが、以下、その実施の形態について詳しく説明する。
【００１２】
図１は、この出願の発明の一実施形態を例示した平面図である。また、図２は、図１の把手を例示した正面図である。
【００１３】
図１および２に沿って説明すると、この出願の発明の把手取り付け構造は、クローゼット等に備えられている扉(1)に取り付けられる把手(2)の取り付け構造である。この把手(2)は、握り部(21)、本体部(22)および係合部(23)を連設して断面略L字型に形成している。このような把手(2)の本体部(22)を扉(1)の表面(11)に当接させ、かつ、係合部(23)を扉(1)の側端面部(12)に係合させて、そして扉(1)の裏面(13)より本体部(22)まで貫通して設けられている取り付け孔(4)(5)を介して、ビス、ボルト等の固着具(3)を挿通して、把手(2)を扉(1)に安定かつ確実に固着し、取り付け固定している。もちろん、この取り付け孔(4)(5)を設けなくとも、図には示していないが、釘等のような打ち込みによって固定する固着具(3)を用いることによっても、把手(2)を扉(1)に取り付け固定することができる。
【００１４】
なお、図１に例示したように、ビス、ボルト等の固着具(3)の種類を問わず、固着具(3)の頭部が扉(1)の裏面(13)と略面一とするため、この扉(1)に設けられている取り付け孔(4)は、くぼみが設けられた取り付け孔(4)であってもよい。
【００１５】
また、図には示していないが、側端面部(12)と係合部(23)とを略面一とし、かつ、把手(2)をより安定かつ確実に、扉(1)に取り付け固定するために、側端面部(12)に加工を施して係合部(23)を嵌め込むことのできる程度の凹部を設けてもよい。
【００１６】
上記のとおりの把手取り付け構造とすることにより、扉(1)には、従来のように特殊な加工を施すことなく、把手(2)の回転を防止して安定かつ確実に、把手(2)を扉(1)等に取り付け固定することができる。
【００１７】
もちろん、この出願の発明の把手取り付け構造は、多種多様の扉(1)の形状に制約されず、しかも、把手(2)の回転を防止して安定かつ確実に、把手(2)を扉(1)に取り付け固定することが実現できる。
【００１８】
たとえば、図１に例示したように、扉(1)の側端面部(12)の一部を傾斜させて設けた傾斜面に係合部(23)を係合させることができる。その際には、この傾斜面をガイドにすることができるため、容易に係合することができる。また、図３に例示したように、扉(1)の側端面部(12)の略全面に係合部(23)を係合させることにより、係合部(23)との当接面が大きくなるため、緊密・強固に係合させることもできる。
【００１９】
さらに、この出願の発明の把手取り付け構造は、把手(2)が、図１および２に例示したようなハンドル把手であっても、扉(1)に特殊な加工を施すことなく、把手(2)の回転を防止して安定かつ確実に、把手(2)を扉(1)に取り付けることができる。
【００２０】
なお、この出願の発明の把手取り付け構造は、折れ戸式、引き戸式、観音開き式等、その開閉方式に制約されず、いずれの方式の扉(1)にも適用することができる。特に、図４に例示したような折れ戸式の場合には、把手(2)を中央付近に配設されている扉(1)に取り付けることにより、作用点は従来と同様とすることが維持できるとともに、把手(2)を操作する際の力点を扉中央付近（吊り元側）とすることができるため、扉(1)の開閉をスムーズとすることができる。
【００２１】
この出願の発明の把手取り付け構造は、以上の例示によって限定されるものではない。たとえば、扉(1)や把手(2)等の大きさや形状、材質（たとえば、アルミニウムやステンレスチール等の金属類、樹脂等のプラスチック類、木材等）等、その細部の形態において様々に可能であることは言うまでもない。
【産業上の利用可能性】
【００２２】
以上詳しく説明したとおり、この出願の発明によって、把手を取り付けるための特殊な加工を扉に施すこと必要がなく、把手の回転を防止して安定かつ確実に、把手を扉に取り付け固定することができる、新しい把手取り付け構造が提供される。
【図面の簡単な説明】
【００２３】
【図１】この出願の発明の一実施形態を扉とともに例示した平面図である。
【図２】図１の把手を例示した正面図である。
【図３】この出願の発明の、別の実施形態を例示した平面図である。
【図４】この出願の発明の実施形態を概略的に例示した全体斜視図である。
【図５】従来の把手取り付け構造を例示した要部分解断面図である。
【図６】別の従来の把手取り付け構造を例示した要部分解斜視図である。
【符号の説明】
【００２４】
1  扉
11  表面
12  側端面部
13  裏面
2  把手
21  握り部
22  本体部
23  係合部
3  固着具
4、5  取り付け孔
ア  把手
イ  嵌合片
エ  固定穴
オ  溝部
カ  固定穴
キ  框
ク  把手
ケ  本体
コ  雄ネジ
サ  扉
【図１】
2005097911.tif 000003
【図２】
2005097911.tif 000004
【図３】
2005097911.tif 000005
【図４】
2005097911.tif 000006
【図５】
2005097911.tif 000007
【図６】
2005097911.tif 000008